(57)【要約】【課題】を提供する。【解決手段】パンタグラフ状に伸縮する骨組み１１ａ，１１ｂに表面材１２を取着してカーテン材を形成し、該カーテン材をハンガーレールに沿って移動可能に支持し、骨組み１１ａ，１１ｂには該骨組みを延び方向に付勢する付勢手段２０ａ，２０ｂを備えたアコーデオンカーテンの開閉装置において、骨組みは、独立して伸縮可能とした複数の骨組み１１ａ，１１ｂを連結軸１９で連結して構成し、各骨組みに付勢手段２０ａ，２０ｂをそれぞれ設けた。【選択図】図１
2007224556.tif 000002
【特許請求の範囲】
【請求項１】
パンタグラフ状に伸縮する骨組みに表面材を取着してカーテン材を形成し、該カーテン材をハンガーレールに沿って移動可能に支持し、前記骨組みには該骨組みを延び方向に付勢する付勢手段を備えたアコーデオンカーテンの開閉装置において、
前記骨組みは、独立して伸縮可能とした複数の骨組みを連結軸で連結して構成し、各骨組みに前記付勢手段をそれぞれ設けたことを特徴とするアコーデオンカーテンの開閉装置。
【請求項２】
前記付勢手段の付勢力は、移動框が取着される骨組みに取着された付勢手段の付勢力を、前記移動框が取着されない骨組みに取着される付勢手段の付勢力より弱くしたことを特徴とする請求項１記載のアコーデオンカーテンの開閉装置。
【請求項３】
前記連結軸には、前記カーテン材の膨れを防止する膨れ防止金具を備えたことを特徴とする請求項１又は２記載のアコーデオンカーテンの開閉装置。
【請求項４】
前記付勢手段は、前記骨組みを延び方向に付勢するコイルスプリングで構成したことを特徴とする請求項１乃至３のいずれか１項に記載のアコーデオンカーテンの開閉装置。
【発明の詳細な説明】
【技術分野】
【０００１】
この発明は、カーテン材を蛇腹状に伸縮して、室内空間を適宜に区画するアコーデオンカーテンに関するものである。
【背景技術】
【０００２】
アコーデオンカーテンは、蛇腹状に伸縮可能としたカーテン材を壁面間で引き出し、あるいは一方の壁面側に畳み込んで、室内空間を適宜に区画するものである。このようなアコーデオンカーテンの一種類として、カーテン材で壁面間を閉じるとき、そのカーテン材を閉方向に自動的に移動させる機能を備えたものがある。
【０００３】
図４及び図５は、カーテン材を閉方向に自動的に移動させる機能を備えたアコーデオンカーテンの従来例を示す。カーテン材１は、パンタグラフ状に伸縮する骨組み２に表面材３が取着される。
【０００４】
骨組み２の基端は、例えば固定框４を介して一方の壁面５に固定され、骨組み２の先端には移動框６が取着されている。そして、移動框６を操作して骨組み２を伸縮することにより、カーテン材１を開方向あるいは閉方向に移動操作可能である。
【０００５】
骨組み２にはカーテン材１を閉方向に自動的に移動させるためのコイルスプリング７が複数設けられている。そして、移動框６を操作してカーテン材１を畳み込めば、図５に示すように、コイルスプリング７が引き延ばされ、この状態から移動框６を手放せば、コイルスプリング７の付勢力により移動框６が閉方向に自動的に移動する。
【０００６】
このような動作により、居住者は移動框６を閉方向に操作する必要がないため、操作性が向上する。
特許文献１には、アコーデオンドアのヒンジの菱形形状部の４頂点のうち、対向する２つの頂点間に弾性体を掛け渡して、ドアを自動的に閉鎖又は開放する構成が開示されている。
【特許文献１】特開２００２−３３９６６５号公報
【発明の開示】
【発明が解決しようとする課題】
【０００７】
図４に示すアコーデオンカーテンでは、移動框６を開方向に移動させて部屋を出入りするとき、移動框６をコイルスプリング７の付勢力の総和に抗して移動させる必要がある。図３に示すように、移動框６を開方向に移動させるための操作力Ｐ１は、カーテン材１を全閉状態から開いていくに従って増大し、移動框６を開閉範囲の中間部まで移動させたとき、最も大きくなる。
【０００８】
従って、移動框６を開閉範囲の中間部まで移動させて部屋を出入りするとき、大きな操作力が必要となるという問題点がある。
特許文献１に記載されたアコーデオンドアでは、ドアの開操作及び閉操作の開始時にコイルスプリングの付勢力に抗した大きな操作力が必要となる。
【０００９】
この発明の目的は、カーテン材を閉方向に自動的に移動可能としながら、全閉状態から開方向に操作する場合の操作力を軽減し得るアコーデオンカーテンの開閉装置を提供することにある。
【課題を解決するための手段】
【００１０】
請求項１では、パンタグラフ状に伸縮する骨組みに表面材を取着してカーテン材を形成し、該カーテン材をハンガーレールに沿って移動可能に支持し、前記骨組みには該骨組みを延び方向に付勢する付勢手段を備えたアコーデオンカーテンの開閉装置において、前記骨組みは、独立して伸縮可能とした複数の骨組みを連結軸で連結し、各骨組みに前記付勢手段をそれぞれ設けた。
【００１１】
請求項２では、前記付勢手段の付勢力は、移動框が取着される骨組みに取着された付勢手段の付勢力を、前記移動框が取着されない骨組みに取着される付勢手段の付勢力より弱くした。
【００１２】
請求項３では、前記連結軸には、前記カーテン材の膨れを防止する膨れ防止金具を備えた。
請求項４では、前記付勢手段は、前記骨組みを延び方向に付勢するコイルスプリングで構成した。
【発明の効果】
【００１３】
本発明によれば、カーテン材を閉方向に自動的に移動可能としながら、全閉状態から開方向に操作する場合の操作力を軽減し得るアコーデオンカーテンの開閉装置を提供することができる。
【発明を実施するための最良の形態】
【００１４】
以下、この発明を具体化したアコーデオンカーテンの一実施の形態を図面に従って説明する。図１に示すアコーデオンカーテンは、多数のリンク片をパンタグラフ状に伸縮可能に連結して骨組み１１ａ，１１ｂが構成され、その骨組み１１ａ，１１ｂの前後両側に表面材１２が取着されてカーテン材が構成される。
【００１５】
骨組み１１ａの先端の支軸１３に移動框１４が相対回動可能に取着され、骨組み１１ｂの後端の支軸１５に固定框１６が相対回動可能に取着されている。前記骨組み１１ａ，１１ｂは、移動框１４と固定框１６との間に、カーテン材の上部及び下部で少なくとも２本が配設される。
【００１６】
前記固定框１６は壁面１７ａに固定され、前記移動框１４の前後両面における上下方向中央部には操作ハンドル１８が取着されている。そして、上段の骨組み１１ａ，１１ｂが複数のランナーを介してハンガーレールに移動可能に吊下支持され、操作ハンドル１８を操作することによりカーテン材をハンガーレールに沿って伸縮可能となっている。
【００１７】
前記骨組み１１ａ，１１ｂは連結軸１９を介して連結され、図２に示すように、互いに独立して伸縮可能となっている。
前記骨組み１１ａ，１１ｂにはカーテン材を開方向に付勢する複数のコイルスプリング（付勢手段）２０ａ，２０ｂが配設されている。各コイルスプリング２０ａ，２０ｂは、骨組み１１ａ，１１ｂの各菱形部分を構成する平行な対向片を、カーテン材の厚さ方向に山形に突出する頂部近傍で連結している。
【００１８】
そして、前記移動框１４側の骨組み１１ａに取着されるコイルスプリング２０ａの付勢力の総和が、前記固定框１６側の骨組み１１ｂに取着されるコイルスプリング２０ｂの付勢力の総和より小さくなるように設定されている。
【００１９】
従って、移動框１４が前記壁面１７ａと対向する壁面１７ｂに当接する全閉状態から、同移動框１４を開方向に移動させるとき、図２に示すように、まず骨組み１１ａが畳み込まれ、骨組み１１ａがほぼ畳み込まれた後に、骨組み１１ｂの畳み込みが始まる。
【００２０】
このような開操作のために要する操作力Ｐ２は、図３に示すように、骨組み１１ａが畳み込まれるまではコイルスプリング２０ａの付勢力に抗するだけの操作力でよい。また、骨組み１１ａがほぼ畳み込まれた後に、骨組み１１ｂが畳み込まれるときには、コイルスプリング２０ｂの付勢力に抗する操作力でよい。
【００２１】
前記連結軸１９には膨れ防止金具２１が取着されている。この膨れ防止金具２１は、一対の係止片２２ａ，２２ｂの中央部が連結軸１９に固定されて、ほぼＸ字状をなすように取着されている。
【００２２】
そして、骨組み１１ａ，１１ｂをほぼ全閉位置まで引き延ばしたとき、図１に示すように、各係止片２２ａ，２２ｂが連結軸１９に連結されたリンク片の内側面に当接するようになっている。
【００２３】
従って、移動框１４が全閉位置すなわち壁面１７ｂに当接するまで移動された状態で、骨組み１１ａ，１１ｂにコイルスプリング２０ａ，２０ｂの付勢力が作用しても、図１に示す矢印Ａ方向あるいは矢印Ｂ方向へのカーテン材の膨れが阻止されるようになっている。
【００２４】
次に、上記のように構成されたアコーデオンカーテンの動作を説明する。さて、移動框１４が壁面１７ｂに当接している状態から、操作ハンドル１８を介して移動框１４を開方向に操作すると、まず骨組み１１ａが畳み込まれ、居住者の出入り口が確保される。
【００２５】
この状態で、居住者が出入り口から移動して、操作ハンドル１８を手放せば、コイルスプリング２０ａの付勢力により骨組み１１ａが延び、移動框１４が壁面１７ｂに当接するまで移動する。
【００２６】
また、コイルスプリング２０ａ，２０ｂの付勢力に抗して、移動框１４を壁面１７ａ近傍まで移動させれば、カーテン材がほぼ全開状態となる。この状態から操作ハンドル１８を手放すと、コイルスプリング２０ａ，２０ｂの付勢力により、移動框１４が壁面１７ｂに当接する全閉状態まで自動的に移動する。
【００２７】
上記のように構成されたアコーデオンカーテンでは、次に示す作用効果を得ることができる。
（１）操作ハンドル１８を操作して、移動框１４を開方向に移動させた後、操作ハンドル１８を手放せば、コイルスプリング２０ａ，２０ｂの付勢力により、移動框１４が全閉位置まで自動的に復帰する。
（２）移動框１４側の骨組み１１ａを開方向に付勢するコイルスプリング２０ａの付勢力を、固定框１６側の骨組み１１ｂを開方向に付勢するコイルスプリング２０ｂの付勢力より小さくしたので、移動框１４を開方向に移動させるとき、まず骨組み１１ａだけが畳み込まれる。従って、居住者が出入りするために移動框１４を移動操作するとき、コイルスプリング２０ａの付勢力に抗する操作力のみで操作可能となるため、その操作力を軽減することができる。
（３）移動框１４が全閉位置まで移動したとき、膨れ防止金具２１によりカーテン材の膨れを防止することができる。
【００２８】
上記実施の形態は、以下の態様で実施してもよい。
・骨組み１１ｂのコイルスプリング２０ｂの付勢力を、骨組み１１ａのコイルスプリング２０ａの付勢力より弱くしてもよい。この場合には、移動框１４を開方向に移動操作すると、まず骨組み１１ｂが畳み込まれるが、上記実施の形態と同様に操作力を軽減することができる。
・コイルスプリング２０ａ，２０ｂの付勢力をほぼ同等としても、畳み込み操作に対する表面材１２の抵抗により、骨組み１１ａが先に畳み込まれるので、上記実施の形態と同様に操作力を軽減することができる。
・両開きのアコーデオンカーテンの場合には、骨組みを連結軸で３分割して、３組の骨組みをそれぞれ独立して伸縮可能とし、両側の骨組みを中間部の骨組みより先に畳み込まれるようにコイルスプリングの付勢力を設定すれば、上記実施の形態と同様に操作力を軽減することができる。
・前記骨組み１１ａ，１１ｂを延び方向に付勢する手段は、コイルスプリング以外の他の付勢手段でもよい。
【図面の簡単な説明】
【００２９】
【図１】一実施の形態のアコーデオンカーテンを示す平面図である。
【図２】骨組みを畳み込んだ状態を示す平面図である。
【図３】操作力を示す説明図である。
【図４】従来例を示す平面図である。
【図５】従来例の骨組みを畳み込んだ状態を示す平面図である。
【符号の説明】
【００３０】
１１ａ，１１ｂ…骨組み、１２…表面材、１９…連結軸、２０ａ，２０ｂ…付勢手段（コイルスプリング）。
【図１】
2007224556.tif 000003
【図２】
2007224556.tif 000004
【図３】
2007224556.tif 000005
【図４】
2007224556.tif 000006
【図５】
2007224556.tif 000007